(57)【特許請求の範囲】
【請求項１】
相手電話番号を登録し、かつその電話番号にリンクして受信音声または自機のマイクロホンから入力された音声を着信音として記憶する第１の手段と、
着信時、番号通知による着信番号が前記第１の手段で登録されており、かつその番号とリンクして音声が着信音として前記第１の手段で記憶されている場合、その音声を着信音として再生する第２の手段とを具備し、
前記第１の手段による受信音声の記憶は、着信時、応答すると同時に自動的に開始されることを特徴とする電話機。
【請求項２】
第１の手段による受信音声の記憶は、開始後、設定した時間で自動的に終了することを特徴とする請求項１に記載の電話機。
【請求項３】
第１の手段は、相手側からの番号通知による着信番号を相手電話番号として登録することを特徴とする請求項１または２に記載の電話機。
【発明の詳細な説明】
【０００１】
【発明の属する技術分野】
本発明は、移動体電話機や家庭用固定電話機などの電話機に係り、特に着信音の鳴り分けに関するものである。
【０００２】
【従来の技術】
ＰＨＳ電話機や携帯電話機などの移動体電話機、あるいは家庭用固定電話機においては、電話帳に相手電話番号を登録し、かつその電話番号にリンクして着信音の種類を登録しておくと、相手側からの番号通知による着信時、着信番号（相手電話番号）が電話帳に登録されていると、その番号にリンクした個別の着信音で着信音を鳴動させることができる。これにより、応答しなくても、また、ＬＣＤ表示器上の着信番号や相手名称を見なくても、着信音から相手が誰であるか知ることができる。
【０００３】
図４は、上記の着信音の鳴り分けに関する従来の動作を詳細に示すフローチャトである。いま、ステップＳ１で着信があると、ステップＳ２に進んで番号通知があるか判断される。そして、ステップＳ２で番号通知がないと判断されると、ステップＳ３に進んで共通の着信音が鳴動され、さらにステップＳ４に進んで処理終了となる。一方、ステップＳ２で番号通知があると判断されると、ステップＳ５に進んでＬＣＤ表示器上に着信番号が表示され、さらにステップＳ６に進んで着信番号が電話帳に登録されているか判断される。そして、もしステップＳ６で登録がないと判断されると、前記のステップＳ３に進んで共通の着信音が鳴動され、さらにステップＳ４に進んで処理終了となる。
【０００４】
一方、ステップＳ６で着信番号の登録があると判断されると、電話番号とともに電話帳に登録されている相手の名称が電話帳から読み出されてステップＳ７で示すようにＬＣＤ表示器上に表示される。さらに、ステップＳ８に進んで電話帳に着信音の種類が登録されているか判断され、もし登録されていなければステップＳ３に進んで共通の着信音が鳴動され、さらにステップＳ４に進んで処理終了となる。一方、ステップＳ８で着信音の種類が登録されていると判断されるとステップＳ９に進んで、その登録されている個別着信音が鳴動され、さらにステップＳ４に進んで処理終了となる。
【０００５】
【発明が解決しようとする課題】
ところで、着信音としては、数パターンの電子音、あるいは数パターンのメロディがメーカによって用意され、電話機内のメモリに予め登録されている。また、最近は、電話機使用者が自分で好みのメロディをキー操作で着信音として入力し、登録できるようにもなっている。
【０００６】
しかし、電子音、メロディのような着信音では、多数の相手に対して個別の着信音を登録した場合、登録当初は相手と着信音の関係を覚えているが、しばらくすると忘れてしまい、個別着信音が鳴動してもそれだけで相手が誰であるか即断することができないときが多い。
【０００７】
本発明は上記の点に鑑みなされたもので、年月が経過しても、着信時、個別着信音を聞くだけで多数の中から現在の相手を常に正確に判断することができる電話機を提供することを目的とする。
【０００８】
【課題を解決するための手段】
本発明の電話機は、相手電話番号を登録し、かつその電話番号にリンクして受信音声または自機のマイクロホンから入力された音声を着信音として記憶する第１の手段と、着信時、番号通知による着信番号が前記第１の手段で登録されており、かつその番号とリンクして音声が着信音として前記第１の手段で記憶されている場合、その音声を着信音として再生する第２の手段とを具備し、前記第１の手段による受信音声の記憶は、着信時、応答すると同時に自動的に開始されることを特徴とする。
【０００９】
この電話機において、第１の手段による受信音声の記憶は、開始後、設定した時間で自動的に終了することが好ましい。また、第１の手段は、相手側からの番号通知による着信番号を相手電話番号として登録することができる。
【００１０】
【発明の実施の形態】
次に添付図面を参照して本発明による電話機の実施の形態を詳細に説明する。本発明の実施の形態は、本発明を移動体電話機に応用した場合である。図３は本発明の実施の形態としての移動体電話機を示すブロック図である。この図において、１１は装置全体を制御するＣＰＵであり、ＲＯＭ１２に格納されている動作処理手順を規定するプログラムに従って指定された処理をＲＡＭ１３からの記憶データや外部情報を用いて実行する。ＲＡＭ１３は一部が電話帳メモリとなっており、この電話帳メモリに相手電話番号、相手名称等を記憶する。電話帳メモリはＣＰＵ１１に内蔵することもできる。キー１４はＣＰＵ１１に接続され、電話番号入力、電話帳登録、各種動作モードの設定等を行う。ＬＣＤ表示器１５はＣＰＵ１１に接続され、キー１４から入力された各種情報や電話帳メモリに記憶された電話帳情報、さらには相手側からの番号通知による着信番号などを表示する。
【００１１】
ＲＦ部１６は、アンテナ１７で受信した信号を増幅および周波数変換してベースバンドＩＣ（ＢＢＩＣ）に復調用信号を出力するＲＦ受信回路と、ベースバンドＩＣからの音声変調信号を増幅および周波数変換してアンテナ１７に送信信号として出力するＲＦ送信回路からなり、アンテナ１７とＲＦ受信回路およびＲＦ送信回路との接続は図示しない切替えスイッチにより行われる。ベースバンドＩＣ１８はＣＰＵ１１によって制御され、音声信号やＲＦ信号を変復調する。このベースバンドＩＣ１８の出力である音声信号は、ＡＦ回路１９でデジタル信号からアナログ信号に変換されたのち増幅されスピーカ２０を駆動する。また、マイクロホン２１からの音声信号は、ＡＦ回路１９で増幅とアナログ・デジタル変換が行われた後ベースバンドＩＣ１８に出力され、さらにＲＦ部１６を介して高周波信号としてアンテナ１７より送信される。２２はＣＰＵ１１に接続されたフラッシュメモリ等からなる着信音メモリで、受信音声、またはマイクロホン２１から入力された音声を電話帳メモリ内の相手電話番号とリンクして着信音として記憶する。
【００１２】
以上のように構成された移動体電話機においては、通話中にキー１４中の記憶キーを操作すれば、相手側からの番号通知による着信番号を電話帳メモリに相手電話番号として登録するとともに、その電話番号にリンクして相手の音声を着信音として着信音メモリ２２に記憶する。また、これ以後の着信時、相手側からの番号通知による着信番号が電話帳メモリに登録されていて、さらにその電話番号にリンクして相手の音声が着信音メモリ２２に着信音として記憶されていれば、その相手の音声を着信音として再生する。このような動作を以下図1および図２のフローチャートを参照して詳細に説明する。まず、図２を参照して登録および記憶時の動作を詳述する。
【００１３】
着信に対して応答してステップＳ１１の通話中に、ステップＳ１２で示すようにキー１４中の記憶キーを押下すると、ＣＰＵ１１はステップＳ１３に進んで通話中の相手の音声を着信音として着信音メモリ２２に、使用者が設定した時間（例えば５秒〜１０秒）記憶すると同時に、ステップＳ１４に進んで相手側からの番号通知による着信番号（相手電話番号）を電話帳メモリに登録する。そして、音声を記憶する時間が終了したとステップＳ１５で判断されると、ＣＰＵ１１は、現在記憶した音声にステップＳ１６でインデックスを付加して、同時に電話帳メモリに登録した前記相手電話番号に音声をリンクさせる。一方、使用者は、キー１４を操作してステップＳ１７で示すように、現在の電話番号登録に対して仮名称を付加する。そして、ステップＳ１８で通話が終了し、ステップＳ１９で現在の通話に対して電話帳登録があったと判断されると、ステップＳ２０の正式名称登録に移るので、使用者は仮の名称を正式の名称に書き替えて再保存する。以上の後、ステップＳ２１の処理終了となる。
【００１４】
このような登録および記憶が行われた後の着信時の動作を次に図１のフローチャートを参照して説明する。ステップＳ３１で着信があると、ステップＳ３２に進んで相手側からの番号通知があるか判断される。そして、ステップＳ３２で番号通知がないと判断されると、ステップＳ３３に進んで通常の着信音が鳴動され、さらにステップＳ３４に進んで処理終了となる。一方、ステップＳ３２で番号通知があると判断されると、ステップＳ３５に進んでＬＣＤ表示器１５上に着信番号（相手電話番号）が表示され、さらにステップＳ３６に進んで着信番号が電話帳メモリに登録されているか検索される。そして、もしステップＳ３７で一致する番号がない（登録されていない）と判断されると、前記のステップＳ３３に進んで通常の着信音が鳴動され、さらにステップＳ３４に進んで処理終了となる。
【００１５】
一方、ステップＳ３７で一致する番号がある（着信番号の登録がある）と判断されると、その電話番号とともに電話帳メモリに登録されている相手の名称が電話帳メモリから読み出されてステップＳ３８で示すようにＬＣＤ表示器１５上に表示される。さらに、ステップＳ３９に進んで電話番号とリンクするインデックスが着信音メモリ２２中にあるか判断され、もしなければステップＳ３３に進んで通常の着信音が鳴動され、さらにステップＳ３４に進んで処理終了となる。一方、ステップＳ３９で着信番号にリンクするインデックスがあると判断され、着信番号にリンクする音声が着信音メモリ２２に記憶されていれば、その音声（相手の声）がステップＳ４０で示すように読み出されて、ステップＳ４１で示すように着信音として繰り返し再生される。そして、応答すればステップＳ３４の処理終了となる。
【００１６】
以上のように上記の移動体電話機では、予め記憶した相手の音声が個別着信音として再生されるので、年月が経過しても、着信音を聞くだけで多数の中から現在の相手を常に正確に判断することができる。また、相手音声の記憶および相手電話番号の登録は、１キーの操作で簡単にできる。
【００１７】
なお、上記の実施の形態では、通話中に記憶キーを押下することにより相手の音声の記憶を開始したが、「もしもし」などの相手の第一声を着信音として記憶するために着信時、応答と同時に自動的に相手の音声の記憶を開始させることもできる。また、上記の実施の形態では、相手側からの番号通知による着信番号を相手電話番号として電話帳メモリに登録したが、相手電話番号は使用者自身がキー操作で入力することもできる。
【００１８】
さらに、上記の実施の形態では、着信音として相手の音声を記憶したが、図３のマイクロホン２１から入力される使用者自身の音声を着信音として記憶させることもできる。この場合、相手電話番号とリンクして「鈴木さん」、「佐藤さん」などの相手の名字などを着信音として記憶させれば、相手の音声を記憶させた場合と同様に年月の経過に係わらず、着信音を聞くだけで多数の中から現在の相手を常に正確に判断することができる。さらに、上記の実施の形態は本発明を移動体電話機に応用した場合であるが、本発明は家庭用の固定電話機にも応用することができる。
【００１９】
【発明の効果】
以上詳細に説明したように本発明の電話機によれば、年月が経過しても、着信音を聞くだけで多数の中から現在の相手を常に正確に判断することができる。
【図面の簡単な説明】
【図１】本発明による電話機の実施の形態の着信時の動作を示すフローチャート。
【図２】本発明による電話機の実施の形態の登録および記憶時の動作を示すフローチャート。
【図３】本発明による電話機の実施の形態を示すブロック図。
【図４】着信音の鳴り分けに関する従来の動作を示すフローチャート。
【符号の説明】
１１  ＣＰＵ
１３  ＲＡＭ（電話帳メモリ）
１４  キー
２１  マイクロホン
２２  着信音メモリ
【図１】
0003701154.tif 000002
【図２】
0003701154.tif 000003
【図３】
0003701154.tif 000004
【図４】
0003701154.tif 000005